(57)【要約】【課題】消費電力の増大を抑制しつつデザインを容易に変更することができる時計を提供することを目的とする。【解決手段】時計１は、指針部２と、指針部２よりも背後に配置されると共に書き換え可能な背景画像を無電源で表示保持する電子ペーパ文字板１０とを備えている。これにより、電子ペーパに表示保持された背景画像は書き換え可能であるため、消費電力の増大を抑制しつつ背景のデザインを容易に変更することができる時計を提供できる。【選択図】          図１
2008039697.tif 000002
【特許請求の範囲】
【請求項１】
時刻表示部と、画像表示部とを有し、
前記画像表示部は、無通電で画像を表示保持することが可能な電子ペーパを含み、
前記電子ペーパに表示保持されている画像は、書換え可能である、ことを特徴とする時計。
【請求項２】
前記時刻表示部は、時刻を表示するための指針を含み、
前記電子ペーパは、前記指針よりも背後に配置される、ことを特徴とする請求項１に記載の時計。
【請求項３】
前記電子ペーパに表示保持されている画像を書き換える制御手段を備えた、ことを特徴とする請求項１又は２に記載の時計。
【請求項４】
前記画像のデータを記憶する画像データ記憶手段を備え、
前記制御手段は、前記電子ペーパに表示保持されている画像を前記画像データ記憶手段に記憶されている画像データに基づいて書き換える、ことを特徴とする請求項３に記載の時計。
【請求項５】
現在日時に関する日時情報を取得する日時情報取得手段を備え、
前記制御手段は、前記日時情報に応じて前記電子ペーパに表示保持されている画像の書き換えを行う、ことを特徴とする請求項３または４に記載の時計。
【請求項６】
所定の時刻に駆動される可動装飾体を備え、
前記制御手段は、前記可動装飾体の駆動の前後又は駆動中に前記電子ペーパに表示保持されている画像の書き換えを行う、ことを特徴とする請求項３乃至５の何れかに記載の時計。
【請求項７】
所定の報知音が出力される報知手段を備え、
前記制御手段は、前記報知手段からの報知音の出力の前後又は出力中に前記電子ペーパに表示保持されている画像の書き換えを行う、ことを特徴とする請求項３乃至６の何れかに記載の時計。
【請求項８】
書き換え可能な画像を無通電で表示保持する電子ペーパと、前記電子ペーパに表示保持させるための電子ペーパ用画像データを記憶する記憶手段と、前記電子ペーパに表示保持されている画像を前記画像データ記憶手段に記憶されている前記電子ペーパ用画像データに基づいて書き換える制御手段とを備えた時計と、
前記電子ペーパ用画像データを提供するサーバと、
通信ネットワークを介して前記電子ペーパ用画像データをダウンロードし前記記憶手段に送信する端末と、
を備えたことを特徴とする時計用電子ペーパの表示画像書き換えシステム。
【発明の詳細な説明】
【技術分野】
【０００１】
本発明は、電子ペーパを用いた時計に関する。
【背景技術】
【０００２】
従来から、液晶ディスプレイ（Liquid  Crystal  Display）の電気的な表示装置を備えた時計が提案されている（特許文献１参照）。このような表示装置を時計文字板などに採用した場合には、表示装置に表示される画像を切り替えることにより、時計の背景のデザインを容易に変更することができる。
【０００３】
【特許文献１】特開２００２−１１６９７０号公報
【発明の開示】
【発明が解決しようとする課題】
【０００４】
しかしながら、液晶ディスプレイやＥＬディスプレイ（Electroluminescence  Display）などを表示装置として時計に採用すると、消費電力が増加するため、このような表示装置を電池によって駆動される時計に採用するのは現実的ではなかった。
【０００５】
そこで、本発明は、消費電力の増大を抑制しつつデザインを容易に変更することができる時計を提供することを目的とする。
【課題を解決するための手段】
【０００６】
上記目的は、時刻表示部と、画像表示部とを有し、前記画像表示部は、無通電で画像を表示保持することが可能な電子ペーパを含み、前記電子ペーパに表示保持されている画像は、書換え可能である、ことを特徴とする時計によって達成できる。
この構成により、電子ペーパに表示保持された画像は書き換え可能であるため、デザインを変更することができ、飽きのこない時計を提供できる。また、電子ペーパに画像を表示させることにより、無通電で画像を表示保持することができるので、消費電力を小さく抑えることができる。従って、消費電力の増大を抑制しつつデザインを容易に変更することができる時計を提供できる。
【０００７】
また、上記構成において、前記時刻表示部は、時刻を表示するための指針を含み、前記電子ペーパは、前記指針よりも背後に配置される、構成を採用できる。
この構成により、電子ペーパは、指針よりも背後に配置されるので、背景のデザインを変更することができる。
また、背景画像を電子ペーパで表示保持されるので、電子ペーパを屈曲させた状態で配置させることにより、面白みのある時計を提供できる。
【０００８】
また、上記構成において、前記電子ペーパに表示保持されている画像を書き換える制御手段を備えた、構成を採用できる。
この構成により、デザインを更に容易に変更することができる。
【０００９】
また、上記構成において、書き換え用の背景画像データを記憶する画像データ記憶手段を備え、前記制御手段は、前記電子ペーパに表示保持されている画像を前記画像データ記憶手段に記憶されている画像データに基づいて書き換える、構成を採用できる。
この構成によって、デザインを多種にわたって変更することができる。
【００１０】
また、上記構成において、現在日時に関する日時情報を取得する日時情報取得手段を備え、前記制御手段は、日時情報に応じて前記電子ペーパの書き換えを行う、構成を採用できる。
この構成により、電子ペーパに表示されている画像が日時により書き換えられるので、ユーザにとって飽きることのない時計を提供できる。
【００１１】
また、上記構成において、所定の時刻に駆動される可動装飾体を備え、前記制御手段は、前記可動装飾体の駆動の前後又は駆動中に前記電子ペーパの書き換えを行う、構成を採用できる。
この構成により、可動装飾体の駆動によってユーザの注視対象を時計へと移行させて、電子ペーパを書き換えることにより、可動装飾体の駆動と書き換えられた電子ペーパの画像とが相まって、変化に富んだ面白みのある時計を提供できる。また、電子ペーパの書き換え後に可動装飾体を駆動させることにより、ユーザの注視対象を書き換えられた電子ペーパへと移行させ、ユーザは可動装飾体の駆動前と駆動後の電子ペーパの画像の変化に気づくことができる。
【００１２】
上記構成において、所定の報知音が出力される報知手段を備え、前記制御手段は、前記報知手段からの報知音の出力の前後又は出力中に前記電子ペーパの書き換えを行う、構成を採用できる。
この構成により、報知音の出力によってユーザの注視対象を時計へと移行させて、電子ペーパを書き換えることにより、変化に富んだ面白みのある時計を提供できる。また、電子ペーパの書き換え後に報知音を出力させることにより、ユーザの注視対象を書き換えられた電子ペーパへと移行させ、ユーザは報知音の出力前と後との電子ペーパの画像の変化に気づくことができる。
【００１３】
また、上記目的は、書き換え可能な画像を無電源で表示保持する電子ペーパと、前記電子ペーパに表示保持させるための電子ペーパ用画像データを記憶する記憶手段と、前記電子ペーパに表示保持されている画像を前記画像データ記憶手段に記憶されている前記電子ペーパ用画像データに基づいて書き換える制御手段とを備えた時計と、前記電子ペーパ用画像データを提供するサーバと、通信ネットワークを介して前記電子ペーパ用画像データをダウンロードし前記記憶手段に送信する端末とを備えたことを特徴とする時計用電子ペーパの表示画像書き換えシステムによって達成できる。
この構成により、ユーザは時計に備えられた電子ペーパの画像を容易に変更することができる。
【発明の効果】
【００１４】
消費電力の増大を抑制しつつデザインを容易に変更することができる時計を提供できる。
【発明を実施するための最良の形態】
【００１５】
以下、図面を参照して本発明に係る複数の実施例について説明する。
【実施例１】
【００１６】
以下、本発明の実施の形態に係る時計を図面を参照して説明する。
図１は、実施例１に係る時計の正面図である。
図１に示すように、本実施例に係る時計１は、壁掛け用として用いられるものであり、指針部２、ケース部３、電子ペーパ文字板１０などから構成される。
時刻表示部としての指針部２は、分針、時針及び秒針から構成される。
ケース部３は、電子ペーパ文字板１０を保持する。電子ペーパ文字板１０の背面には、図示されていないが、指針部２を駆動させるためのムーブメントが備えられている。
【００１７】
画像表示部としての電子ペーパ文字板１０は、書き換え可能な画像を無通電で表示保持する電子ペーパと、電子ペーパの背面に固定された背面板（不図示）とから構成される。
この図１における電子ペーパ文字板１０の電子ペーパには、背景画像として、分針や時針が指し示す指針対象である文字と目盛とを含む文字板の画像が表示されている。
尚、この電子ペーパ文字板１０に使用される電子ペーパは、マイクロカプセル型電気泳動式のものであってもよいし、ツインスティングボール方式、水平移動型電気泳動方式のもの、またそれ以外の方式であってもよい。
【００１８】
次に、電子ペーパ文字板１０に表示保持されている画像を書き換えるための方法について説明する。
図２は、実施例１に係る時計の電子ペーパ文字板に表示保持されている背景画像を書き換えるための説明図である。
時計１は、指針部２、電子ペーパ文字板１０、制御部２０、画像データ記憶部３０、指針位置検出部４０、日付情報記憶部５０、入力部６０などから構成される。
制御部２０は、ＣＰＵ（Central  Processing  Unit）、ＲＯＭ（Read  Only  Memory）、ＲＡＭ（Random  Access  Memory）などから構成され、時計１全体の動作の制御を行う。
また、制御部２０は、電子ペーパ文字板１０の電子ペーパに表示保持されている画像を、画像データ記憶部３０に記憶されている所定の画像に書き換える。
また、制御部２０は、後述する入力部６０から送信された電子ペーパ用の画像データ（以下、画像データとする）を、書き換え用画像データとして画像データ記憶部３０に記憶させる。
【００１９】
画像データ記憶部３０は、不揮発性メモリなどから構成され、電子ペーパへの書き換え用の画像データを記憶する。
【００２０】
指針位置検出部（日時情報取得手段）４０は、指針部２の分針及び時針が例えば、０時００分または１２時００分の位置に位置付けられた場合を検出する。具体的には、分針及び時針が０時００分または１２時００分の位置に位置付けられたときに、分針を駆動させるための分針車及び時針を駆動させるための時針車にそれぞれ設けられた透孔を通過するセンサ光を受光するする受光素子などにより、分針及び時針が０時００分または１２時００分の位置に位置付けられたことを検出する。
【００２１】
日付情報記憶部（日時情報取得手段）５０は、予めユーザが現在の日付及び現在の時刻が午前であるか午後であるかを設定できる日付設定手段（不図示）により設定された日付情報、または、標準電波受信等により取得した日付情報を記憶しておき、０時００分を通過するたびに、制御部２０は、日付情報記憶部５０に記憶された日付を更新する。これにより、日付情報記憶部５０には、現在の日付が常に記憶されている。
【００２２】
入力部６０は、携帯端末１００から転送された画像データを受信し、制御部２０に送信する。
【００２３】
次に、時計１に画像データを転送するための携帯端末１００について説明する。
携帯端末１００は、制御部１２０、画像データ記憶部１３０、出力部１６０などから構成される。
制御部１２０は、ＣＰＵ、ＲＯＭ、ＲＡＭなどから構成され、携帯端末１００全体の動作の制御を行う。
また、制御部１２０は、画像データを提供するインターネットサイト２００を介して取得した、画像データを画像データ記憶部１３０に記憶させる。
【００２４】
出力部１６０は、画像データ記憶部１３０に記憶されている、画像データを、入力部６０を介して時計１に送信する。
尚、携帯端末１００及び時計１間での、画像データの送受信は、赤外線による無線通信で行われる。
【００２５】
ユーザは、インターネットサイト２００を介して、電子ペーパに表示保持する画像を書き換えるための画像データを携帯端末１００にダウンロードし、ダウンロードした画像データを時計１に転送することにより、電子ペーパ文字板１０の電子ペーパに表示保持されている画像を書き換えることができる。
例えば、ユーザは、電子ペーパ文字板１０に表示される数字のフォントやサイズなどを選択でき、また文字板の地色や模様などを選択して、携帯端末にダウンロードし、時計１にそのデータを転送することができる。
【００２６】
図３は、電子ペーパ文字板１０に表示保持されている模様を書き換えた場合の例示図である。図４は、電子ペーパ文字板１０に表示保持される、数字のフォントを書き換えた場合の例示図である。
【００２７】
上述したように、ユーザは、携帯端末１００によりインターネットサイト２００から、電子ペーパ文字板１０に表示保持する模様に関する画像データや、数字のフォントに関する画像データなどをダウンロードすることにより、オリジナルの文字板を作成することができる。このように、電子ペーパ文字板１０に表示保持された画像は書き換え可能であるため、背景のデザインを変更することができ、飽きのこない時計を提供できる。また、電子ペーパに画像を表示させることにより、書換えの後には無通電で背景画像を表示保持することができるので、消費電力を小さく抑えることができる。従って、消費電力の増大を抑制しつつ背景のデザインを容易に変更することができる。
【００２８】
また、時計１は、電子ペーパに表示保持されている背景画像を書き換える制御部２０を備えているので、背景のデザインを更に容易に変更することができる。
特に、時計１は、画像データ記憶部３０を備え、電子ペーパ文字板１０に表示保持されている画像を画像データ記憶部３０に記憶されている画像データに基づいて書き換えるので、背景のデザインを多種にわたって変更することができる。
【００２９】
次に、制御部２０が実行する書き換え処理の一例について説明する。
図５は、制御部が実行する書き換え処理の一例を示すフローチャートである。
制御部２０は、指針位置検出部４０に基づいて、現在時刻が０時になったかどうかを判定する（ステップＳ１０１）。
現在時刻が０時である場合には、制御部２０は、電子ペーパ文字板１０に表示保持されている画像データを書き換えて、午前用文字板に変更させる（ステップＳ１０２）。
０時ではない場合には、制御部２０は、指針位置検出部４０に基づいて、１２時になったかどうかを判定する（ステップＳ１０３）。
現在時刻が１２時である場合には、制御部２０は、電子ペーパ文字板１０に表示保持されている画像データを書き換えて、午後用文字板に変更させる（ステップＳ１０４）。
現在時刻が１２時ではない場合には、制御部２０は再度ステップＳ１０１の処理を実行する
【００３０】
このように、現在時刻に応じて電子ペーパ文字板１０に表示保持されている
画像が書き換えられる。従って、ユーザにとって飽きることのない時計を提供できる。また、午前と午後とで電子ペーパ文字板１０に表示保持されている画像が書き換えられるので、ユーザは、電子ペーパ文字板１０に表示保持されている画像を見ることによって、現在が午前であるか午後であるかを判断することができる。
尚、制御部２０は、指針位置検出部４０からの情報に基づいて時刻情報を取得するため、指針位置検出部４０は、時刻情報取得手段としての機能を有する。
【００３１】
次に、制御部２０が実行する書き換え処理の変形例について説明する。
図６は、制御部が実行する書き換え処理の変形例を示すフローチャートである。
制御部２０は、日付情報記憶部５０からの情報に基づいて、現在の日付が３月１日であるかどうかを判定する（ステップＳ２０１）。
現在の日付が３月１日である場合には、制御部２０は、電子ペーパ文字板１０に表示保持されている画像データを書き換えて、春用文字板に変更させる（ステップＳ２０２）。
現在の日付が３月１日ではない場合には、制御部２０は、現在の日付が６月１日であるかどうかを判定する（ステップＳ２０３）。
現在の日付が６月１日である場合には、制御部２０は、電子ペーパ文字板１０に表示保持されている画像データを書き換えて、夏用文字板に変更させる（ステップＳ２０４）。
現在の日付が６月１日ではない場合には、制御部２０は、現在の時刻が９月１日であるかどうかを判定する（ステップＳ２０５）。
現在の日付が９月１日である場合には、制御部２０は、電子ペーパ文字板１０に表示保持されている画像データを書き換えて、秋用文字板に変更させる（ステップＳ２０６）。
現在の日付が９月１日ではない場合には、制御部２０は、現在の日付が１２月１日であるかどうかを判定する（ステップＳ２０７）。
現在の日付が１２月１日である場合には、制御部２０は、電子ペーパ文字板１０に表示保持されている画像データを書き換えて、冬用文字板に変更させる（ステップＳ２０８）。
現在の日付が１２月１日ではない場合には、制御部２０は、再度ステップＳ２０１の処理を実行する。
【００３２】
このように、１年を通じて電子ペーパ文字板１０に表示保持されている画像が書き換えられるので、例えば、四季折々の風景を電子ペーパ文字板１０に表示することにより、ユーザはその書き換えられた画像によって季節を把握することができる。
【実施例２】
【００３３】
次に、実施例２に係る時計について説明する。
図７は、実施例２に係る時計１ａの正面図である。
図８は、実施例２に係る時計１ａの機能ブロック図である。
尚、実施例１に係る時計１と同じ機能を有する部分には、同じ符号を付することによって重複する説明を省略する。
【００３４】
図７に示すように、時計１ａは、指針部（時刻表示部）２、電子ペーパ背面板（画像表示部）１０ａ、可動装飾体７１などから構成される。
また、図８に示すように、時計１ａは、からくり駆動部７０、スピーカ（報知手段）８０を備える。からくり駆動部７０は、制御部２０からの信号に基づき、所定の時刻に可動装飾体７１を駆動させ、スピーカ８０は、制御部２０からの信号に基づき、所定のメロディーが出力される。
【００３５】
次に、制御部２０が実行する書き換え処理について説明する。
図９は、実施例２に係る時計の制御部が実行する書き換え処理を示すフローチャートである。尚、この処理は、本実施例に係る時計に電源投入後、一定周期で繰り返し実行される。
【００３６】
制御部２０は、指針位置検出部４０に基づいて、からくり駆動を実行するために、現在時刻が正時（０時００分）であるかどうかを判定する（ステップＳ３０１）。
現在時刻が正時ではない場合には、再度ステップＳ３０１の処理を実行する。
現在時刻が正時の場合には、指針位置検出部４０に基づいて、現在時刻が６時であるかどうかを判定する（ステップＳ３０２）。
現在時刻が６時である場合には、制御部２０は、電子ペーパ背面板１０ａに表示保持されている画像データを書き換えて、朝用の背景に変更させる（ステップＳ３０３）。
現在時刻が６時ではない場合には、現在時刻が９時であるかどうかを判定する（ステップＳ３０４）。
現在時刻が９時である場合には、制御部２０は、電子ペーパ背面板１０ａに表示保持されている画像データを書き換えて、昼用の背景に変更させる（ステップＳ３０５）。
現在時刻が９時ではない場合には、現在時刻が１６時であるかどうかを判定する（ステップＳ３０６）。
現在時刻が１６時の場合には、制御部２０は、電子ペーパ背面板１０ａに表示保持されている画像データを書き換えて、夕方用の背景に変更させる（ステップＳ３０７）。尚、図７に示した電子ペーパ背面板１０ａに表示された画像は、夕方用の背景画像である。
現在時刻が１６時ではない場合には、現在時刻が１９時であるかどうかを判定する（ステップＳ３０８）。
現在時刻が１９時の場合には、制御部２０は、電子ペーパ背面板１０ａに表示保持されている画像データを書き換えて、夜方用の背景に変更させる（ステップＳ３０９）。
【００３７】
現在時刻が１９時ではない場合には、制御部２０は、スピーカ８０からメロディーを報知すると共に、からくり駆動部７０を駆動させる（ステップＳ３１０、Ｓ３１１）。このように、可動装飾体７１が駆動されるのと略同時に電子ペーパ背面板１０ａに表示保持されている背景を書き換えるので、ユーザは背景の様子が変化することを可動装飾体７１の駆動及び報知されたメロディーにより気づくことができる。これにより、優れた装飾性を有し、変化に富んだ面白みのある時計を提供できる。尚、からくり駆動は、所定時間なされた後終了する（ステップＳ３１２、Ｓ３１３）。
図１０は、電子ペーパ背面板１０ａに表示保持されている画像が変更された場合を示した図である。上記の処理により、電子ペーパ背面板１０ａに表示保持されている画像が、図７に示した夕方用の背景から、図１０に示した夜用の背景に変更される。
【００３８】
以上本発明の好ましい一実施形態について詳述したが、本発明は係る特定の実施形態に限定されるものではなく、特許請求の範囲に記載された本発明の要旨の範囲内において、種々の変形・変更が可能である。
【００３９】
電子ペーパに表示保持される画像は、指針の指示対象に限らず、前述した日時に応じた風景画像であってもよいし、デジタルで表示された時刻及びカレンダーであってもよい。
例えば、実施例１に係る時計１の電子ペーパ文字板１０に、設定されたアラーム時刻が表示されるように構成してもよい。このように構成することにより、設定されたアラーム時刻を容易に確認することができる。
また、実施例１に係る時計１の電子ペーパ文字板１０に、カレンダーが表示されるように構成してもよい。これにより現在日時を容易に認識することができる。また、画像データ記憶部３０に数年分のカレンダーを記憶させておき、毎月自動でカレンダーが書き換えられるように構成してもよい。これにより、ユーザは煩わしい操作をすることなく現在の日付を確認することができる。
【００４０】
上記実施例１において、日時情報取得手段として指針位置検出部４０及び日付情報記憶部５０について説明したが、日付情報を取得できればよく、このような構成に限定されない。
【００４１】
上記実施例２では、可動装飾体７１が駆動され所定のメロディーが出力されるのと略同時に電子ペーパ背面板１０ａに表示保持されている背景が書き換えられるように構成したが、このような構成に限定されず、例えば、可動装飾体７１の駆動前に電子ペーパ背面板１０ａに表示保持されている背景を書き換えた後に、可動装飾体７１が駆動するように構成してもよい。
【００４２】
電子ペーパを腕時計の文字板に使用してもよい。特に、電子ペーパは視認性、発色性に優れているため、微妙な色合いを表現することができ、他の時計にはない装飾性に優れた時計を提供できる。
【００４３】
時刻表示部に液晶パネルを用いたデジタル時計に電子ペーパを採用してもよい。例えば、液晶パネルの周囲を囲うように電子ペーパを配置してもよい。
【００４４】
電子ペーパに動画を表示させてもよい。
【００４５】
実施例１では、インターネットサイト２００から携帯端末１００を介して電子ペーパ用画像データを取得したが、携帯端末１００に限らず、パソコンから取得してもよい。また、時計１への画像データの転送は、赤外線による無線通信ではなくてもよい。例えば、時計１をパソコンにＵＳＢ接続をして、電子ペーパ用画像データを転送するようにしてもよい。
【００４６】
アラームの設定の有無に応じて電子ペーパに表示される画像が書き換えられるように構成してもよい。
【００４７】
電子ペーパは、文字板を構成しなくてもよい。また、文字板の画像が表示されていなくてもよい。例えば、人物像などを電子ペーパに表示してもよい。
また、電子ペーパを屈曲させてもよい。例えば、凸曲状の板に電子ペーパを取り付けてもよい。
【００４８】
予め、画像データ記憶部３０に複数の書き換え用の画像データを記憶させておいて、ユーザが所望の画像を選択することができるように構成してもよい。
【００４９】
ケース部を設けずに、電子ペーパの中心部に指針の回転軸が挿通される孔を設け、電子ペーパの背面に指針軸を駆動するムーブメントを取り付けた構成であってもよい。この構成により、より電子ペーパの可撓性による面白みが増した時計を提供できる。
【図面の簡単な説明】
【００５０】
【図１】実施例１に係る時計の正面図である。
【図２】実施例１に係る時計の電子ペーパ文字板に表示保持されている背景画像を書き換えるための説明図である。
【図３】電子ペーパ文字板の模様を書き換えた場合の例示図である。
【図４】電子ペーパ文字板の、数字のフォントを書き換えた場合の例示図である。
【図５】制御部が実行する書き換え処理の一例を示すフローチャートである。
【図６】制御部が実行する書き換え処理の変形例を示すフローチャートである。
【図７】実施例２に係る時計の正面図である。
【図８】実施例２に係る時計の機能ブロック図である。
【図９】実施例２に係る時計の制御部が実行する書き換え処理を示すフローチャートである。
【図１０】電子ペーパ背面板の画像が変更された場合を示した図である。
【符号の説明】
【００５１】
１、１ａ            時計
２                  指針部
３                  ケース部
１０                電子ペーパ文字板
１０ａ              電子ペーパ背面板
２０                制御部
３０                画像データ記憶部
４０                指針位置検出部
５０                日付情報記憶部
６０                入力部
７０                からくり駆動部
８０                スピーカ
【図１】
2008039697.tif 000003
【図２】
2008039697.tif 000004
【図３】
2008039697.tif 000005
【図４】
2008039697.tif 000006
【図５】
2008039697.tif 000007
【図６】
2008039697.tif 000008
【図７】
2008039697.tif 000009
【図８】
2008039697.tif 000010
【図９】
2008039697.tif 000011
【図１０】
2008039697.tif 000012